(57)【要約】【課題】バーナの失火が発生した場合に、その失火の原因が外風の影響によるものか否かを区別し、必要に応じてバーナの再点火を行うことができる燃焼装置を提供する。【解決手段】バーナ４の失火の発生が検知された場合に、その直前の所定期間において、給気口２１及び排気口２２の一方又は両方に外風が作用することに起因して燃焼用空気と燃焼排ガスとの差圧の増加及び減少が生じる有風時差圧変動現象が発生したか否かを検知する。有風時差圧変動現象の発生が検知された場合には、バーナ４を再点火し、有風時差圧変動現象の発生が検知されない場合には、バーナ４を消火状態に維持する。【選択図】図１
2015135198.tif 000002
【特許請求の範囲】
【請求項１】
燃焼用空気を導入する給気口及び燃焼排ガスを導出する排気口を有するケース内で燃焼運転を行うバーナと、前記バーナの燃焼運転を制御する燃焼制御手段と、前記バーナの失火が発生した場合に該失火の発生を検知する失火検知手段とを備える燃焼装置であって、
前記給気口から導入される燃焼用空気と前記排気口から導出される燃焼排ガスとの差圧の変化に応じて値が変化する信号である差圧応動信号を出力する差圧応動信号出力手段と、
前記失火検知手段により前記失火の発生が検知された場合に、該検知の直前の所定期間における前記差圧応動信号を取得し、前記所定期間内に、前記給気口及び排気口の少なくともいずれか一方に外風が作用することに起因する前記差圧の変動現象であって、該差圧の増加及び減少がそれぞれ１回以上生じる有風時差圧変動現象が発生したか否かを、前記取得した差圧応動信号に基づいて検知する差圧変動現象検知手段とを備えており、
前記燃焼制御手段は、前記失火検知手段により前記失火の発生が検知された場合に、前記差圧変動現象検知手段により前記有風時差圧変動現象の発生が検知された場合には、前記バーナを再点火して、該バーナの燃焼運転を再開させる再点火処理を実行し、前記有風時差圧変動現象の発生が検知されない場合には、前記バーナを消火状態に維持するように構成されていることを特徴とする燃焼装置。
【請求項２】
請求項１記載の燃焼装置において、
前記差圧変動現象検知手段は、前記所定期間における前記差圧応動信号の値が、該所定期間における該差圧応動信号の平均値と、該所定期間における該差圧応動信号を線形近似することにより得られた線形関数の各時刻での値とのうちのいずれか一方が中心値となるように該中心値に応じて設定した所定範囲を上限値側に逸脱した回数と、該所定範囲を下限値側に逸脱した回数との両方がそれぞれ１回以上であるという判定条件が成立した場合に、前記有風時差圧変動現象の発生を検知するように構成されていることを特徴とする燃焼装置。
【請求項３】
請求項１記載の燃焼装置において、
前記差圧変動現象検知手段は、前記所定期間の各時刻における前記差圧応動信号の値の時間的変化率である瞬時変化率が、ゼロを中心としてあらかじめ設定された所定範囲を上限値側に逸脱した回数と、該所定範囲を下限値側に逸脱した回数との両方がそれぞれ１回以上であるという判定条件が成立した場合に、前記有風時差圧変動現象の発生を検知するように構成されていることを特徴とする燃焼装置。
【請求項４】
請求項１〜３のいずれか１項に記載の燃焼装置において、
前記燃焼制御手段は、前記失火検知手段により前記失火の発生が検知された場合に、前記差圧変動現象検知手段により前記有風時差圧変動現象の発生が検知された場合には、前記バーナへの燃料供給量及び燃焼用空気の供給量を制御しつつ、該バーナの再点火を行うことを、前記バーナが着火するまで、繰り返すように構成されていると共に、前記バーナの再点火の繰り返しの都度、前記バーナへの燃料供給量及び燃焼用空気の供給量とを段階的に増加させるように構成されていることを特徴とする燃焼装置。
【発明の詳細な説明】
【技術分野】
【０００１】
本発明は、給湯器等の燃焼装置に関する。
【背景技術】
【０００２】
燃焼用空気を導入する給気口及び燃焼排ガスを導出する排気口を有するケース内で燃焼運転を行うバーナを備え、該バーナに供給する燃焼用空気として屋外の外気を使用したり、あるいは、燃焼排ガスを屋外に排出する給湯器等の燃焼装置では、強風等の影響でバーナの失火が生じる場合がある。
【０００３】
そして、この種の燃焼装置では、例えば特許文献１に見られるように、バーナへの燃料供給を一旦遮断した上で、バーナの再点火を自動的に行うようにしたものが知られている。
【先行技術文献】
【特許文献】
【０００４】
【特許文献１】特開平１１−２１１０８０号公報
【発明の概要】
【発明が解決しようとする課題】
【０００５】
上記の如き燃焼装置において、バーナの失火が発生する原因は、外風の影響に限らず、排気口の詰まり、あるいは、燃焼用機器の故障もしくは動作異常等、外風以外の事項に起因して、バーナの失火が発生する場合もある。
【０００６】
ここで、バーナの失火が、外風の影響に起因して発生した場合には、外風の影響が解消すれば、バーナの燃焼運転を支障なく行い得るので、バーナの再点火を行うことが望ましい。
【０００７】
一方、バーナの失火が外風以外の事項に起因して発生した場合には、バーナの燃焼運転を再開できないか、もしくは該燃焼運転を再開しても、該バーナの失火が再び発生する可能性が高い。従って、この場合には、バーナの再点火を行うことが望ましくない。
【０００８】
しかるに、特許文献１に見られる如き従来の燃焼装置では、バーナの失火が外風以外の事項に起因して発生した場合でも、所定回数は、バーナの再点火が行われる。このため、その再点火の都度、バーナへの燃料供給が無駄なものとなってしまう場合がある。
【０００９】
本発明はかかる背景に鑑みてなされたものであり、バーナの失火が発生した場合に、その失火の原因が外風の影響によるものか否かを区別し、必要に応じてバーナの再点火を行うことができる燃焼装置を提供することを目的とする。
【課題を解決するための手段】
【００１０】
本発明の燃焼装置は、かかる目的を達成するために、燃焼用空気を導入する給気口及び燃焼排ガスを導出する排気口を有するケース内で燃焼運転を行うバーナと、前記バーナの燃焼運転を制御する燃焼制御手段と、前記バーナの失火が発生した場合に該失火の発生を検知する失火検知手段とを備える燃焼装置であって、
前記給気口から導入される燃焼用空気と前記排気口から導出される燃焼排ガスとの差圧の変化に応じて値が変化する信号である差圧応動信号を出力する差圧応動信号出力手段と、
前記失火検知手段により前記失火の発生が検知された場合に、該検知の直前の所定期間における前記差圧応動信号を取得し、前記所定期間内に、前記給気口及び排気口の少なくともいずれか一方に外風が作用することに起因する前記差圧の変動現象であって、該差圧の増加及び減少がそれぞれ１回以上生じる有風時差圧変動現象が発生したか否かを、前記取得した差圧応動信号に基づいて検知する差圧変動現象検知手段とを備えており、
前記燃焼制御手段は、前記失火検知手段により前記失火の発生が検知された場合に、前記差圧変動現象検知手段により前記有風時差圧変動現象の発生が検知された場合には、前記バーナを再点火して、該バーナの燃焼運転を再開させる再点火処理を実行し、前記有風時差圧変動現象の発生が検知されない場合には、前記バーナを消火状態に維持するように構成されていることを特徴とする（第１発明）。
【００１１】
ここで本願発明者の各種実験、検討によれば、バーナの失火の原因となり得る外風が、前記給気口及び排気口の一方又は両方に作用する状況では、一般に、前記差圧が比較的大きな変動幅で素早く増加することと、比較的大きな変動幅で素早く減少することとが、短期間の間にそれぞれ１回以上生じる。このような現象が、前記有風時差圧変動現象である。
【００１２】
一方、無風状態もしくはこれに近い状態では、差圧の変動幅や、その変化速度は十分に微小なものに留まる。
【００１３】
そこで、第１発明では、差圧変動現象検知手段は、前記失火検知手段によるバーナの失火の発生の検知直前の所定期間における前記差圧応動信号に基づいて、バーナの失火の直前の所定期間において、上記の如き有風時差圧変動現象が発生したか否かを検知する。
【００１４】
この場合、バーナの失火の直前の所定期間において、有風時差圧変動現象が発生している場合には、バーナの失火の原因が外風の影響によるものである可能性が高い。一方、バーナの失火の直前の所定期間において、有風時差圧変動現象が発生していない場合には、バーナの失火の原因が外風以外の原因である可能性が高い。
【００１５】
そこで、燃焼制御手段は、前記失火検知手段により前記失火の発生が検知された場合に、前記差圧変動現象検知手段により前記有風時差圧変動現象の発生が検知された場合には、前記バーナを再点火して、該バーナの燃焼運転を再開させる再点火処理を実行し、前記有風時差圧変動現象の発生が検知されない場合には、前記バーナを消火状態に維持する。
【００１６】
これにより、外風の影響でバーナの失火が発生した場合には、バーナを再点火して、該バーナの燃焼運転を再開できる一方、外風以外の原因でバーナの失火が発生した場合には、バーナを消火状態に維持することができる。
【００１７】
従って、第１発明によれば、バーナの失火が発生した場合に、その失火の原因が外風の影響によるものか否かを区別し、必要に応じてバーナの再点火を行うことができる。
【００１８】
かかる第１発明では、前記差圧変動現象検知手段は、より具体的には、例えば次のように構成することができる。
【００１９】
その１つの態様として、前記差圧変動現象検知手段は、例えば、前記所定期間における前記差圧応動信号の値が、該所定期間における該差圧応動信号の平均値と、該所定期間における該差圧応動信号を線形近似することにより得られた線形関数の各時刻での値とのうちのいずれか一方が中心値となるように該中心値に応じて設定した所定範囲を上限値側に逸脱した回数と、該所定範囲を下限値側に逸脱した回数との両方がそれぞれ１回以上であるという判定条件が成立した場合に、前記有風時差圧変動現象の発生を検知するように構成される（第２発明）。
【００２０】
すなわち、前記有風時差圧変動現象における差圧の増加と減少とは、比較的大きな変動幅で生じるので、これと同様に、前記差圧応動信号も変動する。このため、前記所定期間における差圧応動信号の平均値と、該所定期間における該差圧応動信号を線形近似することにより得られた線形関数の各時刻での値とのうちのいずれか一方が中心値となるように、該中心値に応じて適切に前記所定範囲を設定しておくことで、前記有風時差圧変動現象が発生した場合には、前記所定期間において、前記差圧応動信号の値が、該所定範囲の上限値側と下限値側とにそれぞれ１回以上逸脱するようになる。
【００２１】
一方、無風状態もしくはこれに近い状態では、差圧応動信号の変動幅が微小なものに留まるので、該差圧応動信号の値は、前記所定範囲内に留まる。
【００２２】
従って、第２発明によれば、有風時差圧変動現象が発生した場合に、該有風時差圧変動現象が発生していない場合と区別して、有風時差圧変動現象の発生を適切に検知できる。
【００２３】
また、他の１つの態様として、前記差圧変動現象検知手段は、例えば、前記所定期間の各時刻における前記差圧応動信号の値の時間的変化率である瞬時変化率が、ゼロを中心としてあらかじめ設定された所定範囲を上限値側に逸脱した回数と、該所定範囲を下限値側に逸脱した回数との両方がそれぞれ１回以上であるという判定条件が成立した場合に、前記有風時差圧変動現象の発生を検知するように構成される（第３発明）。
【００２４】
すなわち、前記有風時差圧変動現象における差圧の増加と減少とは、比較的素早く生じるので、これと同様に、前記差圧応動信号も変動する。このため、前記所定範囲を、ゼロ中心として適切な幅に設定しておくことで、前記有風時差圧変動現象が発生した場合には、前記所定期間において、前記差圧応動信号の瞬時変化率が、該所定範囲の上限値側と下限値側とにそれぞれ１回以上逸脱するようになる。
【００２５】
一方、無風状態もしくはこれに近い状態では、差圧応動信号の変化が緩やかなものに留まるので、該差圧応動信号の瞬時変化率は、前記所定範囲内に留まる。
【００２６】
従って、第３発明によれば、有風時差圧変動現象が発生した場合に、該有風時差圧変動現象が発生していない場合と区別して、有風時差圧変動現象の発生を適切に検知できる。
【００２７】
また、以上説明した第１〜第３発明では、前記燃焼制御手段は、前記失火検知手段により前記失火の発生が検知された場合に、前記差圧変動現象検知手段により前記有風時差圧変動現象の発生が検知された場合には、前記バーナへの燃料供給量及び燃焼用空気の供給量を制御しつつ、該バーナの再点火を行うことを、前記バーナが着火するまで、繰り返すように構成されていると共に、前記バーナの再点火の繰り返しの都度、前記バーナへの燃料供給量及び燃焼用空気の供給量とを段階的に増加させるように構成されていることが好ましい（第４発明）。
【００２８】
この第４発明によれば、バーナの失火が発生し、さらに該失火の発生の直前の所定期間において有風時差圧変動現象が検知された場合、すなわち、外風の影響でバーナの失火が発生した可能性が高い場合に、バーナの点火動作の繰り返しの都度、前記バーナへの燃料供給量及び燃焼用空気の供給量とを段階的に増加される。このため、バーナの失火後に、バーナの再点火を行う時に、未だ給気口あるいは排気口に外風が作用していても、バーナが着火しやすくなる。ひいては、外風の影響によるバーナの失火後の燃焼運転の再開を円滑に行うようにすることができる。
【図面の簡単な説明】
【００２９】
【図１】本発明の一実施形態の燃焼装置としての給湯器のシステム構成を示す図。
【図２】図１の給湯器の本体ケースの外観を示す斜視図。
【図３】図１の給湯器の制御に関する構成を示すブロック図。
【図４】図３に示す制御装置の処理を示すフローチャート。
【図５】第１実施形態における図３のＳＴＥＰ３の処理を示すフローチャート。
【図６】第１実施形態における図３のＳＴＥＰ３の処理を説明するためのグラフ。
【図７】第２実施形態における図３のＳＴＥＰ３の処理を示すフローチャート。
【図８】第２実施形態における図３のＳＴＥＰ３の処理を説明するためのグラフ。
【図９】第３実施形態におけるバーナの再点火処理を説明するためのグラフ。
【発明を実施するための形態】
【００３０】
［第１実施形態］
本発明の第１実施形態を図１〜図６を参照して以下に説明する。
【００３１】
図１を参照して、本実施形態の燃焼装置は給湯器１である。この給湯器１は、屋外に設置される本体ケース２を有する。本体ケース２には、燃焼空間を形成する燃焼筐３が収容されている。そして、この燃焼筐３の内部の下部にバーナ４が配置されている。なお、本体ケース２は、本発明におけるケースに相当する。
【００３２】
バーナ４は、本実施形態ではガスバーナである。このバーナ４は、燃焼面積が互いに異なる第１バーナ４ａ及び第２バーナ４ｂにより構成されている。
【００３３】
バーナ４に燃料ガスを供給するための構成要素として、第１バーナ４ａ及び第２バーナ４ｂで共用される主ガス供給路５が本体ケース２に外部から導入されている。主ガス供給路５の上流側は、本体ケース２の外部で図示しないガス供給源の配管に接続される。
【００３４】
主ガス供給路５は、本体ケース２の内部において、第１バーナ４ａ用の第１副ガス供給路６ａと第２バーナ４ｂ用の第２副ガス供給路６ｂとに分岐されている。第１副ガス供給路６ａは、第１バーナ４ａに燃料ガスを供給すべく燃焼筐３の内部に導入され、第２副ガス供給路６ｂは、第２バーナ４ｂに燃料ガスを供給すべく燃焼筐３の内部に導入されている。
【００３５】
また、主ガス供給路５には、これを開閉する電磁弁により構成されたガス元弁７と、バーナ４への燃料ガスの供給量を調整するためのガス量調整弁としてのガス比例弁８とが介装されている。また、第１副ガス供給路６ａ及び第２副ガス供給路６ｂには、それぞれを開閉する電磁弁により構成された切替弁９ａ，９ｂが各々介装されている。
【００３６】
従って、本実施形態で、ガス元弁７を開弁した状態で、切替弁９ａ，９ｂのそれぞれの開閉状態の組み合わせを切替えることにより、燃料ガスの供給対象のバーナ（燃焼運転を行わせるバーナ）を、第１バーナ４ａ及び第２バーナ４ｂのいずれか一方又は両方に切替えることが可能となっている。また、ガス比例弁８を制御することで、バーナ４（第１バーナ４ａ及び第２バーナ４ｂの一方又は両方）への燃料ガスの供給量が制御される。
【００３７】
これによりバーナ４は、幅広い範囲の燃焼量での燃焼運転を行うことが可能となっている。
【００３８】
ただし、バーナ４は、単一の燃焼面積のバーナであってもよい。その場合には、切替弁９ａ，９ｂは不要である。
【００３９】
バーナ４に燃焼用空気を供給するために、燃焼筐３には、図示しない電動モータにより回転駆動される燃焼ファン１０が取り付けられている。この燃焼ファン１０の吸込み口側は、図２に示すように本体ケース２の下部に開設された複数の給気口２１に連通している。そして、燃焼ファン１０の送風口側は、図１に示す如く第１バーナ４ａ側の給気通路１１ａ及び第２バーナ４ｂ側の給気通路１１ｂを介して燃焼筐３の下部に連通している。
【００４０】
従って、燃焼ファン１０を回転駆動することで、該燃焼ファン１０により、本体ケース２の給気口２１から燃焼用空気としての外気が吸引される。そして、燃焼ファン１０は、吸引した燃焼用空気を給気通路１１ａ，１１ｂを介して燃焼筐３内のバーナ４に供給する。このとき、燃焼ファン１０の回転数（回転速度）を制御することで、バーナ４への燃焼用空気の供給量が制御される。
【００４１】
なお、燃焼ファン１０には、その電動モータの通電電流（以降、ファン電流という）を検出する電流センサ１２（図３に示す）が付設されている。この電流センサ１２は、本発明における差圧応動信号出力手段に相当し、該電流センサ１２の検出信号は、差圧応動信号に相当する。
【００４２】
また、燃焼筐３の上部には、バーナ４の燃焼排ガスを外部に排出するための排気口３ａが開設されている。この排気口３ａは、図２に示すように本体ケース２の上部に開設された排気口２２に連通されている。
【００４３】
さらに、燃焼筐３の側壁部にはバーナ４に点火するための火花放電を発生する点火電極１３と、バーナ４の燃焼炎の有無を検知するための炎検知センサとしてのフレームロッド１４とが取り付けられている。なお、炎検知センサは、フレームロッド１４に限らず、熱電対等の他の炎検知センサであってもよい。
【００４４】
以上が給湯器１のバーナ４の燃焼に係る機構的な構成である。
【００４５】
次に、給湯器１の通水に係る機構的な構成を説明する。
【００４６】
燃焼筐３の内部には、バーナ４の燃焼熱により加熱される熱交換器３１がバーナ４の上方に配置されている。そして、この熱交換器３１を経由して通水路３２が配設されている。
【００４７】
通水路３２は、本体ケース２の内部に外部から導入された給水路３３と、本体ケース２の内部から導出された出湯路３４とを有し、給水路３３が熱交換器３１の通水路３１ａを介して出湯路３４に連接されている。
【００４８】
給水路３３の上流側は、本体ケース２の外部で図示しない給水源の配管に接続され、出湯路３４の下流側は、本体ケース２の外部（台所、洗面所、浴室等）に配置される図示しないカラン等の給湯口に接続される。
【００４９】
熱交換器３１の通水路３１ａには、本体ケース２の内部において、バイパス路３５が並列に接続されている。該バイパス路３５は、熱交換器３１の上流側で給水路３３から分岐され、熱交換器３１の下流側で出湯路３４に合流されている。
【００５０】
従って、給水路３３を上流側から流れてくる水の一部を熱交換器３１を経由せずに、バイパス路３５を介して出湯路３４に流すことが可能となっている。
【００５１】
そして、バイパス路３５の上流端部（給水路３３からの分岐箇所）には、熱交換器３１の通水路３１ａの通水流量とバイパス路３５の通水流量との比率（以下、バイパス比という）を調整するためのバイパス比調整弁３６が介装されている。該バイパス比調整弁３６は、例えば電動式の三方弁により構成される。
【００５２】
なお、給水路３３からのバイパス路３５の分岐箇所に三方弁を備える代わりに、熱交換器３１の通水路３１ａとバイパス路３５との両方もしくは一方に、バイパス比調整弁としての流量調整弁を備えるようにしてもよい。
【００５３】
また、給水路３３には、該給水路３３の通水流量（以降、給水流量という）を調整するための電動式の水量サーボ弁３７と、給水流量を検出する水量センサ３８とが介装されている。また、出湯路３４には、バイパス路３５の合流部の下流側の箇所と該合流部の上流側の箇所とでそれぞれ湯水の温度を検出する温度センサ３９，４０が装着されている。
【００５４】
温度センサ３９が検出する温度は、換言すれば、出湯路３４の下流側の給湯口に供給される湯水の温度、すなわち給湯温度である。また、温度センサ４０が検出する温度は、換言すれば、熱交換器３１から出湯する湯水の温度（以降、熱交換器出湯温度という）である。
【００５５】
以上が給湯器１の通水の加熱に係る機構的な構成である。
【００５６】
次に、給湯器１の運転制御に係る構成を説明する。
【００５７】
給湯器１は、その運転制御を担う制御装置５１とリモコンユニット６１とを備える。
【００５８】
制御装置５１は、図示しないＣＰＵ、ＲＡＭ、ＲＯＭ等を含む電子回路ユニットにより構成され、本体ケース２に搭載されている。
【００５９】
リモコンユニット６１は、給湯器１の運転に関する操作、給湯器１の運転状態の報知等を行う端末機器である。このリモコンユニット６１は、給湯器１の運転を行うか否かを制御装置５１に指示するための運転スイッチ６２、目標給湯温度の設定操作等を行うためのアップダウンスイッチ６３、給湯器１の運転状態等の表示（報知）を行う表示器６４等を備える。そして、リモコンユニット６１は、制御装置５１と有線もしくは無線により通信可能に構成され、台所、洗面所、浴室等に配置される。
【００６０】
なお、図１では１つのリモコンユニット６１だけを記載しているが、給湯器１は、複数のリモコンユニットを備えていてもよい。
【００６１】
制御装置５１は、実装されるプログラム、あるいは、ハードウェア構成により実現される機能として、図３に示す如く、バーナ４の燃焼運転を制御する燃焼制御部５３と、バーナ４の失火の有無を検知する失火検知部５２と、有風時差圧変動現象の発生の有無を検知する差圧変動現象検知部５４とを備える。
【００６２】
この制御装置５１には、リモコンユニット６１の操作データ（運転スイッチ６２のオンオフ操作を示すデータ、目標給湯温度の設定値を示すデータ等）と、燃焼ファン１０に付設された電流センサ１２の検出信号、フレームロッド１４の検出信号、水量センサ３８の検出信号、及び温度センサ３９，４０の検出信号とが入力される。
【００６３】
制御装置５１は、これらの入力データを使用して、バーナ４の燃焼系の機器（ガス元弁７、ガス比例弁８、切替弁９ａ，９ｂ、燃焼ファン１０、点火電極１３）と、通水系の機器（バイパス比調整弁３６、水量サーボ弁３７）とを制御する。
【００６４】
なお、制御装置５１の失火検知部５２、燃焼制御部５３及び差圧変動現象検知部５４は、それぞれ、本発明における失火検知手段、燃焼制御手段、差圧変動現象検知手段に相当する。
【００６５】
次に、本実施形態の給湯器１の作動を説明する。まず、給湯器１の全体的な作動を説明する。
【００６６】
リモコンユニット６１の運転スイッチ６２をオン操作した状態で、給湯口のカランの開栓等に応じて通水路３２の通水が開始されると、制御装置５１はその通水を水量センサ３８の検出信号に基づき検知する。
【００６７】
このとき、制御装置５１の燃焼制御部５３は、バーナ４の燃焼運転を開始させる。具体的には、燃焼制御部５３は、燃焼ファン１０を所定の回転数で回転させるように該燃焼ファン１０の電動モータを制御する。これにより、バーナ４を点火させるための燃焼用空気がバーナ４に供給させる。
【００６８】
さらに、燃焼制御部５３は、第１バーナ４ａ及び第２バーナ４ｂの一方、例えば第２バーナ４ｂに所定量の燃料ガスを供給させるように、ガス元弁７及び切替弁９ｂを開弁制御すると共に、ガス比例弁８の開度を制御する。これにより、第２バーナ４ｂを点火させるための燃料ガスが該第２バーナ４ｂに供給される。
【００６９】
燃焼制御部５３は、バーナ４への燃焼用空気及び燃料ガスの供給を上記の如く制御しつつ、点火電極１３に、既定の一定時間、図示しないイグナイタを介して火花放電を発生させる。これにより、バーナ４の点火が行われる。
【００７０】
そして、燃焼制御部５３は、バーナ４が着火したことをフレームロッド１４の検出信号により検知すると、点火電極１３の駆動を停止すると共に、給湯温度の温調制御を行うように、バーナ４の燃焼量を制御する。
【００７１】
具体的には、燃焼制御部５３は、温度センサ３９，４０及び水量センサ３８の検出信号からそれぞれ認識される給湯温度、熱交換器出湯温度及び給水流量の検出値と、リモコンユニット６１で設定された目標給湯温度とを用いて、所定の演算処理（プログラム処理）を実行することで、温度センサ３９による給湯温度の検出値を目標給湯温度に収束させるために必要なバーナ４の燃焼量（目標燃焼量）と、バイパス比の目標値と、給水流量の目標値とをそれぞれ逐次決定する。
【００７２】
さらに、燃焼制御部５３は、バーナ４の目標燃焼量に応じて、その目標燃焼量に対応する量の燃焼用空気をバーナ４に供給するための燃焼ファン１０の目標回転数を決定する。そして、燃焼制御部５３は、図示しない回転速度センサにより検出される燃焼ファン１０の実際の回転数を、決定した目標回転数に一致させるように、燃焼ファン１０の電動モータに通電するファン電流を制御する。
【００７３】
また、燃焼制御部５３は、バーナ４の目標燃焼量に応じて、第１バーナ４ａ及び第２バーナ４ｂのいずれの燃焼運転を行うかを決定し、決定した第１バーナ４ａ及び第２バーナ４ｂの一方又は両方に燃料ガスを供給すべく切替弁９ａ，９ｂの開閉を制御する。
【００７４】
さらに燃焼制御部５３は、バーナ４の目標燃焼量に応じて（又は燃焼ファン１０の回転数の検出値に応じて）、バーナ４への燃料ガスの供給量を決定して、該供給量に応じてガス比例弁８の開度を制御する。
【００７５】
上記の如くバーナ４の燃焼系の機器を制御することで、目標燃焼量でのバーナ４の燃焼運転が行われように、バーナ４への燃焼用空気の供給量と燃料ガスの供給量とが制御される。
【００７６】
また、燃焼制御部５３は、実際のバイパス比を、決定した目標値に一致させるようにバイパス比調整弁３６を制御する。さらに、燃焼制御部５３は、実際の給水流量を決定した目標値に一致させるように水量サーボ弁３７を制御する。
【００７７】
以上の燃焼制御部５３の制御処理により、温度センサ３９により検出される実際の給湯温度が目標給湯温度に収束するように温調制御がなされる。
【００７８】
なお、通水路３２の通水が停止されると、制御装置５１は、その通水の停止を水量センサ３８の検出信号に基づき検知する。このとき、制御装置５１の燃焼制御部５３は、ガス元弁７を閉弁制御することで、バーナ４への燃料ガスの供給を遮断する。さらに、燃焼制御部５３は、燃焼ファン１０の回転駆動を停止する。これにより、バーナ４の燃焼運転が停止される。
【００７９】
本実施形態の給湯器１では、バーナ４の燃焼運転は、基本的には上記の如く行われる。
【００８０】
ところで、バーナ４の燃焼運転の開始後、本体ケース２の給気口２１又は排気口２２に作用する外風の影響、あるいは、燃焼系の機器の故障もしくは動作不良等のなんらかの原因によって、バーナ４の失火が発生する場合がある。
【００８１】
この失火の発生が、外風の影響に起因するものである場合には、給湯器１自体は、正常に運転を行うことができる。また、当該外風の影響は一時的なものである場合が多い。従って、この場合には、バーナ４の燃焼運転を自動的に再開することが望ましい。
【００８２】
一方、バーナ４の失火が、外風以外の原因で発生した場合には、燃焼系の機器の故障もしくは動作不良がバーナ４の失火の原因となっている可能性がある。あるいは、給湯器１の保守、点検作業等において、業者が意図的に本体ケース２の給気口２１もしくは排気口２２を閉塞させることに起因して、あるいは、給気口２１もしくは排気口２２がゴミ等の異物により閉塞されることに起因して、バーナ４の失火が発生する場合もある。
【００８３】
そこで、本実施形態では、制御装置５１は、バーナ４の失火が発生した場合に、その失火の直前の環境状態が、本体ケース２の給気口２１又は排気口２２に外風が作用する状態（以降、有風状態という）であるか、有風状態でないか（無風状態もしくはそれに近い状態であるか）を判定するための処理を実行する。そして、制御装置５１は、その判定結果に応じて、バーナ４の燃焼運転を再開させるための制御処理を実行し、あるいは、バーナ４を消火状態に維持する。
【００８４】
以下に、この制御処理について図４〜図６を参照して説明する。
【００８５】
バーナ４の燃焼運転の開始後、制御装置５１は、図４のフローチャートに示す処理を実行する。
【００８６】
ＳＴＥＰ１において、制御装置５１は、図示しないメモリに記憶保持するファン電流の検出値を更新する。ここで、メモリには、制御装置５１の制御処理周期毎に、現在時刻から所定時間（例えば１０秒）前までの所定期間分のファン電流の検出値（制御装置５１の制御処理周期毎のサンプリング値）の時系列が更新されつつ、記憶保持される。
【００８７】
次にＳＴＥＰ２において、制御装置５１は、フレームロッド１４の検出信号に基づいて、バーナ４の失火が発生したか否かを検知する。このＳＴＥＰ２の検知処理が前記失火検知部５２による処理である。
【００８８】
ＳＴＥＰ２において、バーナ４の失火の発生が検知されない場合（バーナ４の燃焼運転が継続している場合）には、制御装置５１は、ＳＴＥＰ１からの処理を継続する。
【００８９】
また、ＳＴＥＰ２において、バーナ４の失火の発生が検知された場合には、制御装置５１は、ＳＴＥＰ３において、有風判定処理を前記差圧変動現象検知部５４により実行する。
【００９０】
なお、図示は省略しているが、ＳＴＥＰ２においてバーナ４の失火の発生が検知された場合には、制御装置５１は、有風判定処理を実行することに加えて、ガス元弁７を閉弁制御する。
【００９１】
上記有風判定処理は、バーナ４の失火の直前の環境状態が有風状態であるか否かを判定する処理である。この有風判定処理は、差圧変動現象検知部５４により、図５のフローチャートに示す如く実行される。
【００９２】
以下説明すると、差圧変動現象検知部５４は、ＳＴＥＰ１１において現在時刻（失火の発生の検知時刻）から所定時間前までの所定期間分のファン電流の検出値の時系列をメモリから読みだす。これにより、差圧変動現象検知部５４は、バーナ４の失火の発生の直前の所定期間におけるファン電流の検出値の時系列を取得する。
【００９３】
次に、ＳＴＥＰ１２において、差圧変動現象検知部５４は、ファン電流の検出値に基づき有風状態であるか否かを判定するために用いる判定用範囲（ファン電流の値の範囲）を設定する。
【００９４】
具体的には、差圧変動現象検知部５４は、ＳＴＥＰ１１で取得した所定期間分のファン電流の検出値の平均値を、判定用範囲の中心値として算出する。そして、差圧変動現象検知部５４は、当該中心値の所定割合（例えば３％）の大きさδだけ、当該中心値よりも大きい値（＝中心値＋δ）と、当該中心値よりもδだけ小さい値（＝中心値−δ）とを、それぞれ判定用範囲の上限値、下限値として、該判定用範囲を設定する。
【００９５】
ここで、本体ケース２の給気口２１及び排気口２２の一方又は両方に外風が作用する有風状態におけるファン電流の変動形態と、無風状態もしくはこれに近い状態におけるファン電流の変動形態との相違について説明しておく。
【００９６】
本体ケース２の給気口２１及び排気口２２の一方又は両方に外風が作用する有風状態では、一般に、給気口２１からバーナ４に供給される燃焼用空気と、排気口２２から排出される燃焼排ガスとの差圧が、比較的大きな変動幅で素早く増加（又は減少）し、さらに、比較的大きな変動幅で素早く減少（又は増加）するという特有の現象（有風時差圧変動現象）が発生する。
【００９７】
そして、上記差圧が変動すると、燃焼ファン１０の負荷が変動することとなるため、燃焼ファン１０の回転数が一定であっても、上記差圧の変動と同様の形態（波形パターン）でファン電流が変動する。
【００９８】
従って、有風状態でのファン電流は、上記有風時差圧変動現象に起因して、図６の実線のグラフで例示する如く、比較的大きな変動幅で素早く増加することと、比較的大きな変動幅で素早く減少することとの両方の変化を生じるように変動する。
【００９９】
一方、環境状態が有風状態でない場合、すなわち、無風状態もしくはこれに近い状態では、上記差圧の変動幅は、微小なものに留まると共に、該差圧の時間的な変化も比較的緩やかなもの留まる。このため、無風状態もしくはこれに近い状態でのファン電流は、燃焼ファン１０の回転数が一定である場合、図６の破線のグラフで例示する如く、該ファン電流の変動幅が微小なものに留まると共に、該ファン電流の時間的な変化も緩やかなものに留まる。
【０１００】
本実施形態では、有風時差圧変動現象が発生する有風状態でのファン電流の変動形態と、無風状態もしくはこれに近い状態でのファン電流の変動形態との上記の如き相違に着目し、これらの変動形態を区別し得るように判定用範囲が設定される。
【０１０１】
すなわち、有風時差圧変動現象が発生する有風状態では、前記所定期間（所定時間の期間）におけるファン電流の検出値の時系列のうちの少なくとも１つの極大値が、判定用範囲の上限値よりも大きくなり、且つ、少なくとも１つの極小値が、判定用範囲の下限値よりも小さくなるという条件と、無風状態もしくはこれに近い状態では、前記所定期間におけるファン電流の検出値の時系列が判定用範囲内に収まるという条件とが満たされるように、判定用範囲が設定される。
【０１０２】
この場合、判定用範囲の中心値（所定期間におけるファン電流の検出値の平均値）に対する該判定用範囲の幅（＝２δ）の割合を、あらあじめ実験等に基づいて適切に設定しておくことで、上記の如く判定用範囲を設定できる。
【０１０３】
一例として、ＳＴＥＰ１１で取得した所定期間分のファン電流の検出値が、図６の実線のグラフ又は破線のグラフで示す如く変動した場合、判定用範囲は図示の如く設定される。
【０１０４】
次にＳＴＥＰ１３において、差圧変動現象検知部５４は、ＳＴＥＰ１１で取得した所定期間分のファン電流の検出値が、判定用範囲を上限値側に逸脱した回数Ｎu（詳しくは、ファン電流の検出値が判定用範囲内の値から上限値よりも大きい値に変化した回数）と、下限値側に逸脱した回数Ｎd（詳しくは、ファン電流の検出値が判定用範囲内の値から下限値よりも小さい値に変化した回数）とをカウントする。
【０１０５】
ここで、ＳＴＥＰ１１で取得した所定期間分のファン電流の検出値が、有風状態での検出値である場合、該ファン電流の検出値が有風時差圧変動現象に応じて変動するので、上記回数Ｎu及びＮdは、いずれも１回以上となる。例えば、有風状態に対応する図６の実線のグラフで示す如くファン電流の検出値が変動した場合、Ｎu＝３、Ｎd＝２となる。
【０１０６】
また、ＳＴＥＰ１１で取得した所定期間分のファン電流の検出値が、無風状態もしくはこれに近い状態での検出値である場合、上記回数Ｎu及びＮdは、いずれも０回となる。例えば無風状態もしくはこれに近い状態に対応する図６の破線のグラフで示す如くファン電流の検出値が変動した場合、Ｎu＝Ｎd＝０となる。
【０１０７】
次にＳＴＥＰ１４において、差圧変動現象検知部５４は、ＳＴＥＰ１３で求めた回数Ｎu，Ｎdがいずれも１以上であるという判定条件が成立するか否かを判断する。
【０１０８】
このとき、ＳＴＥＰ１１で取得した所定期間分のファン電流の検出値が、有風状態での検出値である場合には、ＳＴＥＰ１４の判断結果が肯定的となる。これにより、バーナ４の失火の発生の直前の所定期間において、有風時差圧変動現象が発生したことが検知される。
【０１０９】
また、ＳＴＥＰ１１で取得した所定期間分のファン電流の検出値が、無風状態もしくはこれに近い状態での検出値である場合には、ＳＴＥＰ１４の判断結果が否定的となる。この場合には、バーナ４の失火の発生の直前の所定期間において、有風時差圧変動現象が発生していないこととなる。
【０１１０】
そこで、差圧変動現象検知部５４は、ＳＴＥＰ１４の判断結果が肯定的である場合には、ＳＴＥＰ１５において、バーナ４の失火の発生の直前の環境状態が有風状態であるか無風状態であるかの判定結果を、有風状態とする。さらに、この場合には、差圧変動現象検知部５４は、ＳＴＥＰ１６において、有風状態でバーナ４の再点火を行う回数を示す再点火回数パラメータＳの値を１だけ増加させる。
【０１１１】
なお、再点火回数パラメータＳは、バーナ４の燃焼運転が正常に開始される毎に（点火による着火が確認される毎に）、制御装置５１がゼロにリセット（初期化）するパラメータである。
【０１１２】
また、差圧変動現象検知部５４は、ＳＴＥＰ１４の判断結果が否定的である場合には、ＳＴＥＰ１７において、バーナ４の失火の発生の直前の環境状態が有風状態であるか無風状態であるかの判定結果を、無風状態（これに近い状態を含む）とする。
【０１１３】
以上が有風判定処理の詳細である。
【０１１４】
図４に戻って、制御装置５１は、上記の如くＳＴＥＰ３の有風判定処理を実行した後、次に、燃焼制御部５３によりＳＴＥＰ４からの処理を実行する。
【０１１５】
ＳＴＥＰ４では、燃焼制御部５３は、差圧変動現象検知部５４により判定されたバーナ４の失火の発生の直前の環境状態が、有風状態であるか否かを判断する。
【０１１６】
このＳＴＥＰ４の判断結果が否定的である場合（有風判定処理での判定結果が無風状態である場合）には、燃焼系の機器の故障もしくは動作不良等に起因してバーナ４の失火が発生した可能性があることから、燃焼制御部５３は、ＳＴＥＰ９において、給湯器１の異常が発生したことを示す報知を、リモコンユニット６１を介して行う。この報知は、例えばリモコンユニット６１の表示器６４でのエラー表示、あるいは、図示しない警報ランプの点灯もしくは点滅等により視覚的に行われる。なお、スピーカもしくはブザーによる聴覚的な報知（音声又は警報音の発生）を行うようにしてもよい。
【０１１７】
また、ＳＴＥＰ９では、燃焼制御部５３は、バーナ４の燃焼運転を停止した状態（燃焼禁止状態）を維持する。この状態は、通水路３２の通水が行われても、バーナ４の燃焼運転が行われない状態である。
【０１１８】
一方、ＳＴＥＰ４の判断結果が肯定的である場合（有風判定処理での判定結果が有風状態である場合）には、燃焼制御部５３は、ＳＴＥＰ５において、前記再点火回数パラメータＳの値が、あらかじめ定められた所定回数（＞１）以下であるか否かを判断する。該所定回数は、例えば３回である。
【０１１９】
そして、Ｓ＝１である場合等、ＳＴＥＰ５の判断結果が肯定的である場合には、燃焼制御部５３は、ＳＴＥＰ６において、再点火処理を実行する。この再点火処理は、通水路３２の通水が検知された場合におけるバーナ４の点火処理と同じ仕方で行われる。
【０１２０】
さらにＳＴＥＰ７において、燃焼制御部５３は、前記ＳＴＥＰ１と同様に、図示しないメモリに記憶保持するファン電流の検出値を更新する。これにより、再点火処理の実行中におけるファン電流の検出値が、現在時刻から所定時間前までの所定期間分、メモリに記憶保持される。
【０１２１】
次いで、ＳＴＥＰ８において、燃焼制御部５３は、バーナ４の再点火が失敗したか否かを判断する。この場合、図示しないイグナイタによる点火電極１３の駆動を所定時間以上、実行しても、フレームロッド１４の検出信号によりバーナ４の着火が検知されない場合に、バーナ４の再点火が失敗したと判断される。
【０１２２】
また、上記所定時間内に、バーナ４の着火が検知された場合には、バーナ４の再点火が成功したと判断される。
【０１２３】
そして、バーナ４の再点火が成功した場合（ＳＴＥＰ８の判断結果が否定的となった場合）には、制御装置５１は、ＳＴＥＰ１からの処理をバーナ４の燃焼運転が終了するまで（給湯器１の給湯運転が終了するまで）繰り返す。
【０１２４】
また、バーナ４の再点火が失敗した場合（ＳＴＥＰ８の判断結果が肯定的となった場合）には、制御装置５１は、ＳＴＥＰ３からの処理を繰り返す。
【０１２５】
このとき、ＳＴＥＰ３の有風判定処理の実行の都度、再点火回数パラメータＳの値が、１づつ増加される。
【０１２６】
そして、再点火回数パラメータＳの値、すなわち、再点火処理の実行回数が、所定回数を超えた場合には、ＳＴＥＰ５の判断結果が否定的となる。この場合には、バーナ４の失火の発生の原因が、本体ケース２の給気口２１及び排気口２２の一方又は両方に外風が作用すること以外の原因である可能性がある。そこで、この場合には、燃焼制御部５３は、有風判定処理の判定結果が無風状態である場合と同様に、ＳＴＥＰ９の処理を実行する。
【０１２７】
以上が、バーナ４の失火が発生した場合の作動である。
【０１２８】
以上説明した実施形態によれば、バーナ４の失火が発生した場合に、差圧変動現象検知部５４による有風判定処理を実行することで、バーナ４の失火の発生の直前の所定期間における環境状態が有風状態であるか否か（該所定期間で有風時差圧変動現象が発生したか否か）が判定される。そして、有風状態であると判定された場合にだけ、バーナ４の再点火処理が実行される。
【０１２９】
このため、燃焼用機器の故障もしくは動作不良、あるいは、給気口２１もしくは排気口２２の閉塞等、外風以外の原因でバーナ４の失火が発生した場合には、バーナ４の再点火処理が実行されない。従って、バーナ４の燃焼運転を再開することができないか、もしくは再開することが望ましくない状況で、バーナ４に無駄に燃料ガスを供給するようなことを回避できる。
【０１３０】
そして、外風の影響でバーナ４の失火が発生した場合には、バーナ４の燃焼運転を自動的に再開することができる。
【０１３１】
なお、本実施形態では、バーナ４の失火の発生の直前に有風時差圧変動現象が発生したか否かを判定する（バーナ４の失火の発生の直前の環境状態が有風状態であるか否かを判定する）ための判定用範囲の中心値として、バーナ４の失火の発生の直前の所定期間におけるファン電流の検出値の平均値を使用した。
【０１３２】
ただし、バーナ４の失火の発生の直前の所定期間におけるファン電流の検出値を線形近似することにより得られる線形関数（一次関数）における各時刻の値（制御処理周期毎の値）を、その時刻での中心値として、判定用範囲を設定するようにしてもよい。
【０１３３】
この場合、上記線形関数は、例えば最小二乗法により求めることができる。あるいは、例えば前記所定期間の開始時及び終了時におけるファン電流の検出値から、それらの検出値に対応する２つの点を結ぶ直線の式を、線形関数として得るようにしてもよい。
【０１３４】
［第２実施形態］
次に、本発明の第２実施形態を図７及び図８を参照して説明する。なお、本実施形態は、図４のＳＴＥＰ３の有風判定処理だけが、第１実施形態と相違するものである。このため、本実施形態の説明は、第１実施形態と相違する事項を中心に行い、第１実施形態と同一の事項については説明を省略する。
【０１３５】
本実施形態では、バーナ４の失火が発生した場合におけるＳＴＥＰ３の有風判定処理では、差圧変動現象検知部５４は、失火の発生の直前の所定期間におけるファン電流の検出値の瞬時変化率（制御装置５１の制御処理周期毎の時間的変化率）に基づいて、失火の発生の直前の環境状態が有風状態であるか否かを判定する。
【０１３６】
具体的には、本実施形態における有風判定処理は、図７のフローチャートに示す如く実行される。
【０１３７】
以下説明すると、差圧変動現象検知部５４は、ＳＴＥＰ２１において現在時刻（失火の発生の検知時刻）から所定時間前までの所定期間分のファン電流の検出値の時系列をメモリから読みだす。この処理は、第１実施形態のＳＴＥＰ１１と同じである。
【０１３８】
次に、ＳＴＥＰ２２において、差圧変動現象検知部５４は、所定期間分のファン電流の検出値の時系列を用いて、制御装置５１の制御処理周期毎のファン電流の時間的変化率を、ファン電流の瞬時変化率として算出する。
【０１３９】
ここで、第１実施形態で説明したように、有風状態でのファン電流は、有風時差圧変動現象に起因して、比較的大きな変動幅で素早く増加することと、比較的大きな変動幅で素早く増加することとの両方の変化を生じるように変動する。
【０１４０】
一方、無風状態もしくはこれに近い状態でのファン電流は、ファン電流の変動幅が微小なものに留まると共に、該ファン電流の時間的な変化も緩やかなもの留まる。
【０１４１】
従って、前記所定期間におけるファン電流の瞬時変化率に着目した場合、有風状態でのファン電流の瞬時変化率は、図８の実線のグラフで例示する如く、比較的大きな変動幅で増加及び減少するように変動する。
【０１４２】
また、無風状態もしくはこれに近い状態での、ファン電流の瞬時変化率は、図８の破線のグラフで例示する如く、その値の電動幅が比較的小さなものに留まる。
【０１４３】
そこで、本実施形態では、差圧変動現象検知部５４は、バーナ４の失火の発生の直前の環境状態が有風状態であるか否かを判定するために、ＳＴＥＰ２３において、ファン電流の瞬時変化率の判定用範囲を設定する。
【０１４４】
この判定用範囲は、有風時差圧変動現象が発生する有風状態でのファン電流の瞬時変化率の変動形態と、無風状態もしくはこれに近い状態でのファン電流の瞬時変化率の変動形態とを区別し得るように設定される。
【０１４５】
すなわち、有風時差圧変動現象が発生する有風状態では、前記所定期間（所定時間の期間）におけるファン電流の検出値の瞬時変化率の時系列のうちの少なくとも１つの極大値が、判定用範囲の上限値よりも大きくなり、且つ、少なくとも１つの極小値が、判定用範囲の下限値よりも小さくなるという条件と、無風状態もしくはこれに近い状態では、前記所定期間におけるファン電流の検出値の瞬時変化率の時系列が判定用範囲内に収まるという条件とが満たされるように、判定用範囲が設定される。
【０１４６】
この判定用範囲は、本実施形態では、ゼロを中心値とする所定の一定幅の範囲である。この場合、判定用範囲の幅を、あらあじめ実験等に基づいて適切に設定しておくことで、上記の如く判定用範囲を設定できる。該判定用範囲は例えば図８に示す如く設定される。
【０１４７】
次にＳＴＥＰ２４において、差圧変動現象検知部５４は、ＳＴＥＰ２２で算出した所定期間分のファン電流の瞬時変化率が、判定用範囲を上限値側に逸脱した回数Ｎu（ファン電流の瞬時変化率が判定用範囲内の値から上限値よりも大きい値に変化した回数）と、下限値側に逸脱した回数Ｎd（ファン電流の瞬時変化率が判定用範囲内の値から下限値よりも小さい値に変化した回数）とをカウントする。
【０１４８】
ＳＴＥＰ２１で取得した所定期間分のファン電流の検出値が、有風状態での検出値である場合、ファン電流の瞬時変化率の変動幅が比較的大きいので、上記回数Ｎu及びＮdは、いずれも１回以上となる。例えば、有風状態に対応する図８の実線のグラフで示す如くファン電流の瞬時変化率が変動した場合、Ｎu＝６、Ｎd＝７となる。
【０１４９】
また、ＳＴＥＰ２１で取得した所定期間分のファン電流の検出値が、無風状態もしくはこれに近い状態での検出値である場合、ファン電流の瞬時変化率の変動幅が小さいので、上記回数Ｎu及びＮdは、いずれも０回となる。例えば無風状態もしくはこれに近い状態に対応する図８の破線のグラフで示す如くファン電流の瞬時変化率が変動した場合、Ｎu＝Ｎd＝０となる。
【０１５０】
次にＳＴＥＰ２５において、差圧変動現象検知部５４は、ＳＴＥＰ２４で求めた回数Ｎu，Ｎdがいずれも１以上であるという判定条件が成立するか否かを判断する。
【０１５１】
このとき、ＳＴＥＰ２１で取得した所定期間分のファン電流の検出値が、有風状態での検出値である場合には、ＳＴＥＰ２５の判断結果が肯定的となる。これにより、バーナ４の失火の発生の直前の所定期間において、有風時差圧変動現象が発生したことが検知される。
【０１５２】
また、ＳＴＥＰ２１で取得した所定期間分のファン電流の検出値が、無風状態もしくはこれに近い状態での検出値である場合には、ＳＴＥＰ２５の判断結果が否定的となる。この場合には、バーナ４の失火の発生の直前の所定期間において、有風時差圧変動現象が発生していないこととなる。
【０１５３】
そこで、差圧変動現象検知部５４は、ＳＴＥＰ２５の判断結果が肯定的である場合には、ＳＴＥＰ２６において、バーナ４の失火の発生の直前の環境状態が有風状態であるか無風状態であるかの判定結果を、有風状態とする。さらに、この場合には、差圧変動現象検知部５４は、ＳＴＥＰ２７において、有風状態でバーナ４の再点火を行う回数を示す再点火回数パラメータＳの値を１だけ増加させる。
【０１５４】
なお、再点火回数パラメータＳは、第１実施形態と同様に、バーナ４の燃焼運転が正常に開始される毎に（点火による着火が確認される毎に）、制御装置５１がゼロにリセット（初期化）するパラメータである。
【０１５５】
また、差圧変動現象検知部５４は、ＳＴＥＰ２５の判断結果が否定的である場合には、ＳＴＥＰ２８において、バーナ４の失火の発生の直前の環境状態が有風状態であるか無風状態であるかの判定結果を、無風状態（これに近い状態を含む）とする。
【０１５６】
以上が本実施形態における有風判定処理の詳細である。
【０１５７】
本実施形態は、以上説明した事項以外は、第１実施形態と同じである。
【０１５８】
以上説明した実施形態によれば、バーナ４の失火が発生した場合に、その失火の直前の所定期間における環境状態が有風状態であると判定された場合（有風時差圧変動現象が検知された場合）にだけ、バーナ４の再点火処理が実行される。
【０１５９】
従って、第１実施形態と同様の効果を奏することができる。
【０１６０】
［第３実施形態］
次に、本発明の第３実施形態を図９を参照して説明する。なお、本実施形態は、バーナ４の失火が発生した場合におけるバーナ４の再点火処理（図４のＳＴＥＰ６の処理）だけが第１実施形態又は第２実施形態と相違するものである。従って、本実施形態の説明は、第１実施形態又は第２実施形態と相違する事項を中心に行い、第１実施形態又は第２実施形態と同一の事項については説明を省略する。
【０１６１】
本実施形態では、制御装置５１の燃焼制御部５３は、図４のＳＴＥＰ６における再点火処理において、点火電極１３の駆動中における燃焼ファン１０の回転数（ひいては、バーナ４への燃焼用空気の供給量）と、バーナ４の燃料ガスの供給量とを、図９のグラフで示す如く、再点火回数パラメータＳの値が大きくなるに伴い、段階的に増加させる。
【０１６２】
本実施形態は、ＳＴＥＰ６における再点火処理以外の事項は、第１実施形態と同じである。
【０１６３】
本実施形態によれば、バーナ４の失火後の再点火処理の実行時に、給気口２１あるいは排気口２２に外風が作用していても、バーナ４への燃焼用空気及び燃料ガスの供給量を増加させることによって、バーナ４が着火しやすくなる。ひいては、外風の影響によるバーナ４の失火後の燃焼運転の再開を円滑に行うようにすることができる。
【０１６４】
次に、以上説明した第１〜第３実施形態に関する変形態様をいくつか説明する。
【０１６５】
前記第１〜第３実施形態では、差圧応動信号出力手段として、ファン電流を検出する電流センサ１２を使用した。ただし、差圧応動信号出力手段として、給気口２１からバーナ４に供給される燃焼用空気と排気口２２から排出される燃焼排ガスとの差圧を直接的に検出する圧力センサを使用してもよい。
【０１６６】
あるいは、例えば、燃焼排ガス中のＣＯ（一酸化炭素）の濃度を検出するように燃焼筐３内に配置したＣＯセンサを差圧応動信号出力手段として使用することも可能である。この場合、給気口２１あるいは排気口２２に外風が作用すると、バーナ４に供給される燃焼用空気量が変動することで、結果的に、ＣＯセンサの検出信号が上記差圧と同様の形態で変動する。
【０１６７】
また、前記第１〜第３実施形態では、本発明の燃焼装置として、給湯器を例示したが、本発明の燃焼装置は、給湯器に限らず、燃焼式暖房器等の燃焼装置であってもよい。また、給気口と排気口とが屋外に配置される一方、バーナを収容した燃焼筐が屋内に配置される所謂ＦＦ式の燃焼装置、あるいは、給気口とバーナを収容した燃焼筐とが屋内に配置されると共に、排気口が屋外に配置される所謂ＦＥ式の燃焼装置についても本発明を適用できる。
【符号の説明】
【０１６８】
１…給湯器（燃焼装置）、２…本体ケース（ケース）、４…バーナ、１２…電流センサ（差圧応動信号出力手段）、５２…失火検知部（失火検知手段）、５３…燃焼制御部（燃焼制御手段）、５４…差圧変動現象検知部（差圧変動現象検知手段）。
【図１】
2015135198.tif 000003
【図２】
2015135198.tif 000004
【図３】
2015135198.tif 000005
【図４】
2015135198.tif 000006
【図５】
2015135198.tif 000007
【図６】
2015135198.tif 000008
【図７】
2015135198.tif 000009
【図８】
2015135198.tif 000010
【図９】
2015135198.tif 000011